(57)【特許請求の範囲】
【請求項１】
左右両サイドパネルの前側辺間を開閉するメッシュ構造の開閉パネルが荷支持台に起伏開閉自在に取り付けられ、当該開閉パネルを閉じ位置で左右両サイドパネルに係止する係止手段が設けられた開閉パネル付き荷役用パレットであって、前記係止手段が、開閉パネルの外側に固着されたガイド部材によって当該開閉パネルの縦線材の外側で左右横向きに支持されて軸心方向のスライドと軸心周りの自転とが可能なスライドバーと、このスライドバーに取り付けられて当該スライドバーと一体に上下動自在な操作レバーと、開閉パネルが閉じ位置に達したときに当該開閉パネルの縦線材間を貫通するように左右両サイドパネルの前側辺から突設された被係止部材を備え、下向きに倒された前記操作レバーと開閉パネルの縦線材との係合により前記スライドバーを、前記被係止部材の横向き貫通孔部に挿入した進出位置と当該横向き貫通孔部から離脱した後退位置とで位置決めできるように構成された開閉パネル付き荷役用パレットにおいて、前記ガイド部材は、線材を正面形状門形に曲げ加工すると共にその左右両縦線材部の上端側にスライドバー挿通部が当該線材の曲げ加工により形成されたもので、この左右両縦線材部の内、開閉パネルの側辺に近い側の外側縦線材部を、開閉パネルの最外側縦線材とその内側２番目の縦線材との間に配置して、当該外側縦線材部と開閉パネルの最外側縦線材との間に前記被係止部材が貫通するスリット部を形成させると共に、このスリット部の横幅が上広がりとなるように前記外側縦線材部を傾斜させてある、開閉パネル付き荷役用パレット。
【請求項２】
前記ガイド部材は、その水平向きの横線材部が、開閉パネルの最外側縦線材に対し内側２番目と３番目の２本の縦線材に当接すると共に、左右両縦線材部の下端部が、前記横線材部の直下に位置する開閉パネルの横線材に当接し、これらガイド部材と開閉パネル線材との４箇所の当接部において両者が溶接により固着されている、請求項１に記載の開閉パネル付き荷役用パレット。
【請求項３】
前記ガイド部材は、その内側縦線材部も前記外側縦線材部と対称形に傾斜させてある、請求項１又は２に記載の開閉パネル付き荷役用パレット。
【発明の詳細な説明】
【技術分野】
【０００１】
本発明は、左右両サイドパネルの前側辺間を開閉するメッシュ構造の開閉パネルと当該開閉パネルを閉じ位置で係止する係止手段を備えた開閉パネル付き荷役用パレットに関するものである。
【背景技術】
【０００２】
この種の開閉パネル付き荷役用パレットは、特許文献１にも記載されるように、左右両サイドパネルの前側辺間を開閉するメッシュ構造の開閉パネルが荷支持台に起伏開閉自在に取り付けられ、当該開閉パネルを閉じ位置で左右両サイドパネルに係止する係止手段が設けられたものであって、前記係止手段は、開閉パネルの外側に固着されたガイド部材によって当該開閉パネルの縦線材の外側で左右横向きに支持されて軸心方向のスライドと軸心周りの自転とが可能なスライドバーと、このスライドバーに取り付けられて当該スライドバーと一体に上下動自在な操作レバーと、開閉パネルが閉じ位置に達したときに当該開閉パネルの縦線材間を貫通するように左右両サイドパネルの前側辺から突設された被係止部材を備え、下向きに倒された前記操作レバーと開閉パネルの縦線材との係合により前記スライドバーを、前記被係止部材の横向き貫通孔部に挿入した進出位置と当該横向き貫通孔部から離脱した後退位置とで位置決めできるように構成されたものである。
【特許文献１】実公平８−２１０１号公報
【発明の開示】
【発明が解決しようとする課題】
【０００３】
而して、特許文献１にも記載されるように、従来の開閉パネル付き荷役用パレットでは、開閉パネルを閉じ位置で係止した状態での左右両サイドパネルの前側辺の左右横方向の揺動（遊び）を小さく抑えるために、開閉パネルの最外側縦線材と内側２番目の縦線材との中間位置に別の縦線材を追加し、この追加された中間縦線材と最外側縦線材との間に、左右両サイドパネルの前側辺から突出する被係止部材が貫通するスリット部を形成している。換言すれば、開閉パネルの縦線材間の間隔は、１０ｍｍ程度の線径の線材を曲げ加工して構成される前記被係止部材の厚さ（１０ｍｍ程度）と比較して相当広いのが普通であるから、この広い縦線材間をそのままサイドパネル側の被係止部材が貫通するスリット部としたのでは、当該被係止部材の横向き貫通孔部に開閉パネル側のスライドバーを挿通させて開閉パネルを閉じ位置で係止させても、単に開閉パネルが開動するのを防止できるだけで、左右両サイドパネルの前側辺の位置を規制することができず、開閉パネル側の広い縦線材間でのサイドパネル側の被係止部材の遊動を伴って左右両サイドパネルが左右横方向に大きく揺れ動くことになる。このような不都合を回避するため、従来は上記のように中間縦線材を追加して被係止部材が貫通するスリット部の巾を狭めていたのである。従って、開閉パネルの縦線材の本数が増え、材料コスト及び加工コストが増える結果となっていた。
【０００４】
そこで、前記被係止部材が貫通するスリット部を形成させるために追加される中間縦線材を無くして、前記ガイド部材の一部分、即ち、線材を門形に曲げ加工して構成した当該ガイド部材の外側縦線材部を当該中間縦線材に兼用させ、当該ガイド部材の外側縦線材部と開閉パネルの最外側縦線材との間で前記被係止部材が貫通するスリット部を形成させることが考えられたが、次のような問題点が判明した。即ち、前記ガイド部材の外側縦線材部を曲げ加工してスライドバー挿通部を形成することになるので、スライドバーを後退位置で位置決めしたとき、前記スライドバー挿通部から当該スライドバーの先端がある程度突出しているように構成しなければ、スライドバーとスライドバー挿通部との引っ掛かりを確実にして当該スライドバーを保持することができない。このため、スライドバーを後退位置で位置決めした状態で行う開閉パネルの開閉操作時に、この開閉パネル側の前記被係止部材が、前記ガイド部材の外側縦線材部（スライドバー挿通部）から突出しているスライドバーの先端と引っ掛かり、開閉パネルの開閉操作を円滑に行うことができない。
【課題を解決するための手段】
【０００５】
本発明は上記のような従来の問題点を解消し得る開閉パネル付き荷役用パレットを提供することを目的とするものであって、請求項１に記載の開閉パネル付き荷役用パレットは、後述する実施形態の参照符号を付して示すと、左右両サイドパネル２，３の前側辺間を開閉するメッシュ構造の開閉パネル５が荷支持台１に起伏開閉自在に取り付けられ、当該開閉パネル５を閉じ位置で左右両サイドパネル２，３に係止する係止手段１４が設けられた開閉パネル付き荷役用パレットであって、前記係止手段１４が、開閉パネル５の外側に固着されたガイド部材１６によって当該開閉パネル５の縦線材２３の外側で左右横向きに支持されて軸心方向のスライドと軸心周りの自転とが可能なスライドバー１７と、このスライドバー１７に取り付けられて当該スライドバー１７と一体に上下動自在な操作レバー１８と、開閉パネル５が閉じ位置に達したときに当該開閉パネル５の縦線材２３間を貫通するように左右両サイドパネル２，３の前側辺から突設された被係止部材１９を備え、下向きに倒された前記操作レバー１８と開閉パネル５の縦線材２３ｂ，２３ｃとの係合により前記スライドバー１７を、前記被係止部材１９の横向き貫通孔部１９ａに挿入した進出位置と当該横向き貫通孔部１９ａから離脱した後退位置とで位置決めできるように構成された開閉パネル付き荷役用パレットにおいて、前記ガイド部材１６は、線材を正面形状門形に曲げ加工すると共にその左右両縦線材部２１ａ，２１ｂの上端側にスライドバー挿通部２２ａ，２２ｂが当該線材の曲げ加工により形成されたもので、この左右両縦線材部２１ａ，２１ｂの内、開閉パネル５の側辺に近い側の外側縦線材部２１ａを、開閉パネル５の最外側縦線材２３ａとその内側２番目の縦線材２３ｂとの間に配置して、当該外側縦線材部２１ａと開閉パネル５の最外側縦線材２３ａとの間に前記被係止部材１９が貫通するスリット部２９を形成させると共に、このスリット部２９の横幅が上広がりとなるように前記外側縦線材部２１ａを傾斜させた構成となっている。
【０００６】
上記構成の本発明を実施するについて、具体的には請求項２に記載のように、前記ガイド部材１６は、その水平向きの横線材部２０が、開閉パネル５の最外側縦線材２３ａに対し内側２番目と３番目の２本の縦線材２３ｂ，２３ｃに当接すると共に、左右両縦線材部２１ａ，２１ｂの下端部が、前記横線材部２０の直下に位置する開閉パネル５の横線材２４ａに当接するようにし、これらガイド部材１６と開閉パネル線材２３ｂ，２３ｃ，２４ａとの４箇所の当接部２５ａ〜２５ｄにおいて両者を溶接により固着することができる。又、請求項３に記載のように、前記ガイド部材１６は、その内側縦線材部２１ｂも前記外側縦線材部２１ａと対称形に傾斜させることができる。
【発明の効果】
【０００７】
上記請求項１に記載の本発明に係る開閉パネル付き荷役用パレットによれば、開閉パネルの外側に付設されるガイド部材の外側縦線材部と開閉パネルの最外側縦線材との間をサイドパネル側の被係止部材が貫通するスリット部とする構成であるから、メッシュ構造の開閉パネルにおける縦線材間の間隔が広くとも、従来のように被係止部材の厚さに適合した巾の前記スリット部を形成するために別の縦線材を追加する必要がなくなり、開閉パネルの材料コスト及び加工コストを削減することができ、しかも、ガイド部材の取付け位置を考慮するだけで、被係止部材の厚さに適合した巾のスリット部を開閉パネル側に形成して、開閉パネル閉じ状態での左右両サイドパネルの左右横方向の揺れ動きを確実に防止することができる。
【０００８】
更に本発明の構成によれば、サイドパネル側の被係止部材が貫通するスリット部の横幅が上広がりになるようにガイド部材の外側縦線材部が傾斜しているので、スライドバーを後退位置で位置決めしたとき、前記外側縦線材部の上端側に形成されているスライドバー挿通部からスライドバーの先端をある程度突出させて、このスライドバーを後退位置で位置決めした状態でも確実にスライドバーを定位置に保持できるように構成しても、当該スライドバー挿通部から下方に傾斜して延びる前記外側縦線材部の下端部が、サイドパネル側の被係止部材が貫通するスリット部の横幅を狭めることになり、このスリット部の下端側の横幅が狭まった部分でサイドパネル側の被係止部材の挿脱位置が規制され、当該被係止部材と後退位置にあるスライドバー先端との干渉を完全に無くすか又は、多少干渉し合う位置関係にあっても、サイドパネル側の被係止部材が丸棒の曲げ加工により構成される一般的なものである限り、スリット部に対して挿脱される被係止部材と後退位置にあるスライドバー先端とが引っ掛かるのを実質的に無くし、開閉パネルの開閉操作を円滑に行うことができる。
【０００９】
又、前記スリット部の上端側の横幅が広まった部分があるので、当該スリット部の上下方向全域にわたって横幅が狭められている場合と比較して、開閉パネルを閉じるときにサイドパネル側の被係止部材を開閉パネル側の前記スリット部に挿入させ易く、この点でも開閉パネルの閉じ操作を容易且つ円滑に行うことができる。更に、前記スリット部の下端側の横幅が狭まった部分で、このスリット部内に挿入されたサイドパネル側の被係止部材を位置決めできるので、係止手段で開閉パネルを閉じ位置に係止している状態での左右両サイドパネルの左右横方向の遊びを少なくすることができる。従って、上下２枚の互いにヒンジで連結されたパネルで開閉パネルが構成され、上下各開閉パネルのそれぞれが前記係止手段でサイドパネルに係止される構成が採用されている場合、上側開閉パネルのみを開いた状態でのサイドパネルの倒れを少なくして起立姿勢を安定させることができる。
【００１０】
尚、請求項２に記載の構成によれば、開閉パネルの外側に取り付けられるガイド部材の線材長を短くすると共に開閉パネルに対する溶接箇所の数も減らして、一層のコストダウンを図ることができる。又、請求項３に記載の構成によれば、開閉パネルの外側に取り付けられるガイド部材が左右対称形となるので、同一のガイド部材を開閉パネルの左右両側に設けられる係止手段のガイド部材に兼用させることができ、更に一層のコストダウンを図ることができる。
【発明を実施するための最良の形態】
【００１１】
以下に本発明に係る係止手段を採用した折り畳み自在な箱型パレットの具体的実施例を添付図に基づいて説明すると、図１〜図３において、１は平面矩形の荷支持台、２，３は荷支持台１の左右両側辺から起立するサイドパネル、４は荷支持台１の後側辺から起立するバックパネル、５は荷支持台１の前側辺から起立する開閉自在な開閉パネルである。荷支持台１は、フレーム構造体６とその上に重ねて固着されたメッシュ構造体７とから構成され、フレーム構造体６の四隅近傍の下側には、脚体８が付設されている。サイドパネル２，３は、バックパネル４の左右両側辺にコイルヒンジ９を介して当該バックパネル４に重ねるように折り畳み自在に連結されている。バックパネル４は、その下側辺がコイルヒンジ１０により荷支持台１上に起伏自在に連結されている。
【００１２】
開閉パネル５は、下側パネル部５ａと、この下側パネル部５ａの上辺にヒンジ１１によって前後開閉自在に連結された上側パネル部５ｂとから成り、下側パネル部５ｂには、その下側辺から直角内向きに折曲連設された折曲底辺部１２が設けられ、この折曲底辺部１２の先端が荷支持台１上、具体的にはフレーム構造体６の上にヒンジ１３により起伏自在に連結されている。そして、垂直に起立させた開閉パネル５の下側パネル部５ａの左右両側辺上端部と上側パネル部５ｂの左右両側辺上端部とをサイドパネル２，３の前側辺に係止する４つの係止手段１４が併設されている。
【００１３】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、開閉パネル５の全体又は上側開閉パネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に嵌合させることにより、段積みすることができる。
【００１４】
使用しない荷役用パレットは、係止手段１４を係止解除操作して左右両サイドパネル２，３と開閉パネル５との連結を解き、左右両サイドパネル２，３をバックパネル４に重ねるように折り畳んだ状態で当該バックパネル４を左右両サイドパネル２，３と共に荷支持台１上に重ねるように折り畳み、この上に開閉パネル５を重ねるように折り畳むことにより、荷支持台１上の高さを、最上位に位置する開閉パネル５における下側パネル部５ａの垂直姿勢にある折曲底辺部１２の高さ相当まで低くすることができる。尚、この実施形態における荷役用パレットには、図１に示すように、左右両サイドパネル２，３の下側辺を荷支持台１のメッシュ構造体７から左右両側に張り出すフレーム構造体６上に載置させたパレット組立て状態において、左右両サイドパネル２，３が外側へ開動するのを当該左右両サイドパネル２，３の下側辺外側に隣接して防止するサイドパネル位置決め用突起１５が、荷支持台１の左右両外側辺（フレーム構造体６の外側辺）に突設されている。
【００１５】
上記構成の折り畳み自在な箱型の荷役用パレットに採用された本発明の係止手段１４の詳細を、図４〜図８に基づいて説明すると、各係止手段１４は、開閉パネル５の外側に付設されるガイド部材１６、このガイド部材１６に支持されたスライドバー１７、このスライドバー１７に取り付けられた操作レバー１８、及び左右両サイドパネル２，３に取り付けられた被係止部材１９から構成されている。
【００１６】
ガイド部材１６は、１本の丸棒状線材を正面形状門形に曲げ加工して構成された左右対称形のもので、水平向きの横線材部２０と、この横線材部２０の左右両端から下向きで且つ下端側ほど互いに離れる方向にハの字形に傾斜して延びる左右一対の縦線材部２１ａ，２１ｂとを有し、左右一対の縦線材部２１ａ，２１ｂの上端部には、前方へ円弧形に突出するスライドバー挿通部２２ａ，２２ｂが形成されている。このガイド部材１６が取り付けられる開閉パネル５の下側パネル部５ａ及び上側パネル部５ｂは、左右方向適当間隔おきに並列配置された縦線材２３と、この縦線材２３の内側で上下方向適当間隔おきに並列配置された横線材２４とを、両者の交叉部で互いに溶接することにより構成したメッシュ構造のものである。尚、図示の実施形態では、上側パネル部５ｂの最上位の横線材２４は、縦線材２３を内外両側から挟むように２本並列固着して補強している。
【００１７】
而して上記構成のガイド部材１６は、下側パネル部５ａの左右両側辺上端部と上側パネル部５ｂの左右両側辺上端部とに取り付けられるが、その取付け位置は、各パネル部５ａ，５ｂの左右両側辺を構成する最外側縦線材２３ａとその内側２番目の縦線材２３ｂとの中間位置に外側の縦線材部２１ａが位置すると共に、前記２番目の縦線材２３ｂとその内側の３番目の縦線材２３ｃの外側に横線材部２０が当接し、そして左右一対の縦線材部２１ａ，２１ｂの下端部が前記横線材部２０の直下に位置する１つの横線材２４ａの外側に当接する状態で、これら４箇所の当接部２５ａ〜２５ｄにおいて両者、即ち、ガイド部材１６と各パネル部５ａ，５ｂとが溶接により互いに固着される。
【００１８】
スライドバー１７は、ガイド部材１６における左右一対の縦線材部２１ａ，２１ｂの内、内側の縦線材部２１ｂから各パネル部５ａ，５ｂの最外側縦線材２３ａまでの水平距離よりも長いもので、適当太さの丸棒状線材から構成され、ガイド部材１６における左右一対のスライドバー挿通部２２ａ，２２ｂに水平に挿通されている。操作レバー１８は、丸棒状線材を正面角Ｕ字形に曲げ加工すると共に、左右一対の縦線材部１８ａ，１８ｂを側面視においてくの字形に折曲させたものであって、当該縦線材部１８ａ，１８ｂの中間折曲部が各パネル部５ａ，５ｂから離れる向きで、両縦線材部１８ａ，１８ｂの先端近傍部をスライドバー１６の内側（各パネル部５ａ，５ｂのある側）に溶接により固着している。而して、操作レバー１８の縦線材部１８ａ，１８ｂの先端部が係止部２６ａ，２６ｂとなっており、この両係止部２６ａ，２６ｂが、図４Ａに示すように前記２本の縦線材２３ｂ，２３ｃの外側（縦線材部２１ａのある側）に隣接するとき、スライドバー１７はガイド部材１６に対して進出位置となり、両係止部２６ａ，２６ｂが、図８に示すように前記２本の縦線材２３ｂ，２３ｃの内側（縦線材部２１ｂのある側）に隣接するとき、スライドバー１７はガイド部材１６に対して後退位置となるように構成されている。
【００１９】
被係止部材１９は、丸棒状線材を横向きＵ字形に曲げ加工して先端に横向き貫通孔部１９ａを形成したものである。この被係止部材１９が取り付けられる左右両サイドパネル２，３は、開閉パネル５と同様に、前後方向適当間隔おきに並列配置された外側の縦線材２７と、上下方向適当間隔おきに並列配置された内側の横線材２８とを両者の交叉部で互いに溶接することにより構成されたメッシュ構造のものである。尚、図示の実施形態では、最上位の横線材２８は、縦線材２７を内外両側から挟むように２本並列固着して補強している。又、パレットを段積みするときにサイドパネル２，３の上に上段パレットの脚体８が嵌合して載置されるが、この上段パレットの脚体８を支持する箇所では、図示のように横線材２８を内外両側から挟むように縦線材２７を２本並列固着して、パネルの垂直方向の座屈強度を高めている。
【００２０】
而して、前記被係止部材１９は、各係止手段１４のスライドバー１７に対応する高さにおいて、サイドパネル２，３の前側辺から横向き貫通孔部１９ａが突出するように、各サイドパネル２，３の前側辺に固着されている。即ち、被係止部材１９の上下一対の横線材部１９ｂ，１９ｃが、サイドパネル２，３の上下２本の横線材２８間で、最前列の縦線材２７ａと内側２番目の縦線材２７ｂとに溶接により固着されている。尚、２番目の縦線材２７ｂは、先に述べたように座屈強度を高めるために内外２本が並列配置されているので、被係止部材１９の上下一対の横線材部１９ｂ，１９ｃの端部は、この並列する２本の縦桟材２７ｂ間に挟まれた状態で溶接されている。
【００２１】
上記構成によれば、図７及び図８に示すようにスライドバー１７を後退位置に移動させた状態で開閉パネル５（上下各パネル部５ａ，５ｂ）を閉動起立させ、左右両サイドパネル２，３の前側辺から突出する各被係止部材１９を、図８に仮想線で示すように、開閉パネル５側の最外側縦線材２３ａとガイド部材１６の外側の縦線材部２１ａとの間のスリット部２９に貫通させる。このようにして開閉パネル５（上下各パネル部５ａ，５ｂ）の左右両側辺の内側に左右両サイドパネル２，３の前側辺を隣接させ、係る状態でスライドバー１７を後退位置から進出位置に移動させる。
【００２２】
即ち、図５及び図６に示すように、普段は重力でスライドバー１７から垂れ下がった姿勢にある操作レバー１８を、図５に仮想線で示すようにその横線材部１８ｃを手前上方に持ち上げるようにして、スライドバー１７と一体に上向きに回転させる。この結果、当該操作レバー１８の縦線材部１８ａ，１８ｂの先端部である係止部２６ａ，２６ｂが、側面視において開閉パネル５側の縦線材２３ｂ，２３ｃより外側に離れるので、係る状態で操作レバー１８によりスライドバー１７を被係止部材１９のある側へ進出位置まで横動させ、図４に示すように、スライドバー１７の先端部を被係止部材１９の横向き貫通孔部１９ａに挿通させる。スライドバー１７が進出位置に達したとき、操作レバー１８の外側の縦線材部１８ａがガイド部材１６の外側の縦線材部２１ａに隣接して、それ以上のスライドバー１７の移動が制限されるので、係る状態で操作レバー１８をスライドバー１７と一体に回転させて下方に回倒させる。この結果、操作レバー１８の縦線材部１８ａ，１８ｂの先端部である係止部２６ａ，２６ｂが開閉パネル５側の縦線材２３ｂ，２３ｃの外側（ガイド部材１６の外側の縦線材部２１ａがある側）に隣接するので、スライドバー１７から垂れ下がった姿勢の操作レバー１８を介してスライドバー１７が進出位置に係止されることになる。
【００２３】
上記操作により各係止手段１４が、左右両サイドパネル２，３の前側辺と開閉パネル５の左右両側辺とをスライドバー１７と被係止部材１９とで係止したことになり、係る係止状態では、開閉パネル５（上下各パネル部５ａ，５ｂ）が手前に開動することは、開閉パネル５側のスライドバー１７が被係止部材１９の横向き貫通孔部１９ａに挿通していることにより阻止される。又このとき、スライドバー１７の先端部が、図３及び図４に示すように、開閉パネル５の最外側縦線材２３ａの外側に重なる位置にあるので、開閉パネル５が手前開動方向に強く引かれても、スライドバー１７の先端部が変形してサイドパネル２，３側の被係止部材１９の横向き貫通孔部１９ａから抜ける恐れはない。そしてこの状態での左右両サイドパネル２，３の前側辺の左右横方向の揺動は、開閉パネル５側のスリット部２９の横巾、即ち、ガイド部材１６の外側の縦線材部２１ａと開閉パネル５側の最外側縦線材２３ａとの間の空隙の間隔、の僅かな範囲内でのみ可能であり、左右両サイドパネル２，３の前側辺を確実に位置決めできる。
【００２４】
開閉パネル５を開くときは、図５に仮想線で示すように、操作レバー１８を手前上方に持ち上げるようにして、スライドバー１７と一体に上向きに回転させ、当該操作レバー１８の縦線材部１８ａ，１８ｂの先端部である係止部２６ａ，２６ｂを、側面視において開閉パネル５側の縦線材２３ｂ，２３ｃより外側に離して、スライドバー１７の係止を解除する。係る状態で操作レバー１８によりスライドバー１７を被係止部材１９から遠ざける方向へ後退位置まで横動させ、スライドバー１７の先端部を被係止部材１９の横向き貫通孔部１９ａから離脱させる。この後、開閉パネル５を手前に開動させると、左右両サイドパネル２，３側の被係止部材１９が開閉パネル５側のスリット部２９から相対的に後方へ離脱する。スライドバー１７を後退位置まで横動させたとき、図８に示すように、操作レバー１８の内側の縦線材部１８ｂがガイド部材１６の内側の縦線材部２１ｂに隣接して、それ以上のスライドバー１７の移動が制限されるので、係る状態で操作レバー１８をスライドバー１７と一体に回転させて下方に回倒させる。この結果、操作レバー１８の縦線材部１８ａ，１８ｂの先端部である係止部２６ａ，２６ｂが開閉パネル５側の縦線材２３ｂ，２３ｃの内側（ガイド部材１６の内側の縦線材部２１ｂがある側）に隣接するので、スライドバー１７から垂れ下がった姿勢の操作レバー１８を介してスライドバー１７が後退位置に係止されることになる。
【００２５】
係止手段１４は以上のように使用されるものであるが、本発明によれば、ガイド部材１６の外側縦線材部２１ａが、この外側縦線材部２１ａと開閉パネル５の最外側縦線材２３ａとの間のスリット部２９の横幅が前記外側縦線材部２１ａのスライドバー挿通部２２ａのある上端部側ほど広がるように傾斜している。従って、図７及び図８に示すように、スライドバー１７が後退位置に位置決めされているとき、そのスライドバー１７の先端は、ガイド部材１６の外側縦線材部２１ａの上端部（スライドバー挿通部２２ａのある個所）から少し突出しているが、当該スライドバー１７の先端と開閉パネル５の最外側縦線材２３ａとの間の間隔は、前記スリット部２９の最も横幅の狭くなった個所（外側縦線材部２１ａの下端部と開閉パネル５の最外側縦線材２３ａとの間の部分）の間隔と殆ど変わりがない。一方、サイドパネル２，３側の被係止部材１９は、前記スリット部２９に挿入される上下一対の横線材部１９ｂ，１９ｃでの上下高さが、前記スリット部２９の上下高さより少し短い程度であるから、当該被係止部材１９がスリット部２９内に挿入されるときは、その被係止部材１９が、スリット部２９の横幅が狭められている下端部近傍の内側辺、即ち、傾斜するガイド部材１６の外側縦線材部２１ａの下端部近傍部分と摺接し、スライドバー１７の先端に引っ掛かることがない。
【００２６】
仮に両者が引っ掛かるとしても、その引っ掛かりの深さは僅かであり、被係止部材１９が丸棒状線材の曲げ加工により形成されているので、被係止部材１９はスライドバー１７の先端と摺接しながら少し迂回しながら円滑に通過し、被係止部材１９は確実にスリット部２９内に挿入される。又、逆にスライドバー１７を後退位置に移動させて被係止部材１９との係合を解除した状態で開閉パネル５を開動させるとき、ガイド部材１６の外側縦線材部２１ａから少し突出しているスライドバー１７の先端にスリット部２９内から脱出する被係止部材１９が引っ掛かって、開閉パネル５の円滑な開動が妨害されることもない。
【００２７】
又、図４に示すように、被係止部材１９がスリット部２９内に挿入されてスライドバー１７で係止された状態では、その被係止部材１９は、左右横方向に関して、スリット部２９の横幅が狭められている下端部近傍の内側辺、即ち、傾斜するガイド部材１６の外側縦線材部２１ａの下端部近傍部分と開閉パネル５の最外側縦線材２３ａとの間で位置決めされ、当該被係止部材１９の左右横方向の遊びは極僅かに制限されている。従って、図３に示すように、開閉パネル５の上側パネル部５ｂのみが開かれて、左右両サイドパネル２，３に対し下側パネル部５ａのみが係止手段１４で係止されている状態においても、左右両サイドパネル２，３の左右横方向の倒れが少なく、当該左右両サイドパネル２，３の起立状態は安定的に保持される。
【００２８】
更に、上記実施形態では、ガイド部材１６が左右対称形に構成されており、内側縦線材部２１ｂの傾斜は意味を成さないが、このようにガイド部材１６を左右対称形に構成しておくときは、同一のガイド部材１６を、開閉パネル５（上下各パネル部５ａ，５ｂ）の左右両側辺にそれぞれ取り付けられる係止手段１４のガイド部材１６に共通に利用することができる。
【図面の簡単な説明】
【００２９】
【図１】折り畳み自在な荷役用パレットの全体を示す斜視図である。
【図２】同上パレットの概略縦断側面図である。
【図３】同上パレットの開閉パネル部分を示す縦断側面図である。
【図４】Ａ図は係止作用状態の係止手段を示す要部の正面図、Ｂ図は同要部の横断平面図である。
【図５】図４Ａの縦断側面図である。
【図６】サイドパネルに対して開閉パネルが開いている状態の要部の縦断側面図である。
【図７】図６の状態での横断平面図である。
【図８】図６の状態での正面図である。
【符号の説明】
【００３０】
１    荷支持台
２，３    サイドパネル
４    バックパネル
５    開閉パネル
５ａ    下側パネル部
５ｂ    上側パネル部
１４    係止手段
１６    ガイド部材
１７    スライドバー
１８    操作レバー
１８ａ，１８ｂ    操作レバーの縦線材部
１８ｃ    操作レバーの横線材部
１９    被係止部材
１９ａ    被係止部材の横向き貫通孔部
２０    ガイド部材の横線材部
２１ａ，２１ｂ    ガイド部材の縦線材部
２２ａ，２２ｂ    ガイド部材のスライドバー挿通部
２３，２３ａ〜２３ｃ    開閉パネルの縦線材
２４，２４ａ    開閉パネルの横線材
２５ａ〜２５ｄ    ガイド部材と開閉パネル線材との当接部（溶接部）
２６ａ，２６ｂ    操作レバーの係止部
２７，２７ａ，２７ｂ    サイドパネルの縦線材
２８    サイドパネルの横線材
２９    スリット部
【図１】
0004941844.tif 000002
【図２】
0004941844.tif 000003
【図３】
0004941844.tif 000004
【図４】
0004941844.tif 000005
【図５】
0004941844.tif 000006
【図６】
0004941844.tif 000007
【図７】
0004941844.tif 000008
【図８】
0004941844.tif 000009